(57)【要約】【課題】  匡体の表面に付属物を配置する空間が少なくても、接続コードの収納部や確実な操作を容易に行うことができる電源スイッチを設けることができる携帯型スピーカーを提供する。【解決手段】  匡体の上面に配置された放音部と、放音部からの出力音源となる外部機器を接続する接続プラグを有する接続コードと、放音部の動作電源を収納する電源収納部とを備え、匡体の底面に、電源収納部、接続コードを収納することができる収納溝、を有し、収納溝の端部近傍に接続プラグを収納するプラグ収納部が形成され、プラグ収納部に接続プラグが収納されたとき接続プラグが接触して電源をオフにする電源スイッチを備える携帯型スピーカーによる。【選択図】図２
2011228909.tif 000002
【特許請求の範囲】
【請求項１】
匡体の上面に配置された放音部と、
上記放音部からの出力音源となる外部機器を接続する接続プラグを有する接続コードと、
上記放音部の動作電源を収納する電源収納部と、を備える携帯型スピーカーであって、
上記匡体の底面に上記電源収納部、上記接続コードを収納することができる収納溝、を有し、
上記収納溝の端部近傍に上記接続プラグを収納するプラグ収納部が形成され、
上記プラグ収納部に上記接続プラグが収納されたとき、上記接続プラグが接触して電源をオフにする電源スイッチを備えることを特徴とする携帯型スピーカー。
【請求項２】
上記底面は、使用態様において台座として用いられる弾性部材からなる突起部を複数備えており、
上記収納溝が、上記突起部よりも径方向内側に形成されていることを特徴とする請求項１記載の携帯型スピーカー。
【請求項３】
上記プラグ収納部は、この収納部に収納される上記接続プラグを係止する係止部をさらに有することを特徴とする請求項１記載の携帯型スピーカー。
【請求項４】
上記プラグ収納部は、上記放音部の背圧を軽減させるための音響孔を有しており、使用態様において、上記音響孔が外気と連通することを特徴とする請求項１記載の携帯型スピーカー。
【発明の詳細な説明】
【技術分野】
【０００１】
本発明は、携帯型音楽プレーヤー等を接続して再生音の出力に用いる携帯型スピーカーに関するものであって、より詳しくは、匡体の表面に付属物を配置する空間が少なくても、接続コードの収納部や確実な操作を容易に行うことができる電源スイッチを設けることができる携帯型スピーカーに関するものである。
【背景技術】
【０００２】
外出先でも手軽に音楽を聴くことができる携帯型音楽プレーヤーが普及している。これら携帯型音楽プレーヤーを用いて音楽を聴くときに、特に、複数人で一緒に音楽を聴くときや、野外等でヘッドホンを用いることなく音楽を聴くときには、スピーカーを用いることがある。
【０００３】
携帯型音楽プレーヤーに接続して用いるスピーカーは、プレーヤーと一緒に携帯することができるものが望ましい。よって、小型かつ軽量であることが求められる。
また、このような携帯型スピーカーは、携帯型音楽プレーヤー自体の音量出力レベルはそれほど大きくないことから、音量を増幅できるほうがより望ましい。このような増幅処理を行うには、スピーカー自体にも動作電源を備える必要がある。ここで用いる動作電源は、外部電源を用いると携帯性が劣るので、内部電源を搭載することになる。
【０００４】
このような携帯型スピーカーの電源には電池が用いられる。よって、電池の無駄な消耗を避けて、使用可能時間をできるだけ長く確保できるようにするため、使用時のみ電源をオンにし、不使用時には電源をオフにできることが望ましい。このような電源のオン−オフを行うには、操作可能な位置にスイッチを備える必要がある。
【０００５】
さらに、携帯型スピーカーと携帯型音楽プレーヤーを接続するために接続コードは必須である。
接続コードは、スピーカーと別体となっていてもよいが、所持忘れの防止や携帯のしやすさを考慮すると、本体であるスピーカーと一体になっているほうがより望ましい。さらに、携帯性や意匠性を考慮すると、接続コードはスピーカー本体の内部に収納できるとさらに望ましい。
【０００６】
また、電源スイッチについては、利用者の操作性を考慮すると携帯型スピーカーの匡体表面に露出して設置することになるが、携帯型スピーカーは小型であるが故、匡体表面にスイッチ類を露出して配置する空間が少ない。このため、携帯型スピーカーにおいては、電源スイッチの配置方法にも工夫が必要となる。
また、これら接続コードや電源スイッチは利用者が操作しやすいものでなければ不便であるから、匡体面からすぐに操作できる箇所に配置することが必要となる。
【０００７】
携帯型スピーカーは、音楽を出力する放音部（スピーカーユニットの放音面）が匡体のいずれかの面に形成されるので、この放音部が形成される面とは違う匡体面に、上述したような接続コードの収納部、電源スイッチ、電源の収納部を配置することになる。
【０００８】
匡体の側面部に接続コードの収納部と電源スイッチを配置すると、意匠性が劣る。また、側面に電源スイッチを配置すると、携帯時にバック等のなかで他の収納物と接触して不必要な状態で電源が投入されて、電池が消耗されることになる。
また、匡体の底面（背面）には、使用態様において防振のための台座となる弾性部材を配置することになるので、他の物品を配置する空間は制限される。
【０００９】
さらに、電池の交換も考慮すると、匡体の一部に収納部の蓋を形成することになるので、これによっても匡体表面の空間が制限される。
【００１０】
以上述べたような技術的課題、すなわち携帯して用いるスピーカーの匡体の空間が狭いことを前提に、接続コードの収納部と電源スイッチを効果的な位置に配置することができるように、スピーカーの構造を工夫するという課題を解決することを目的とした先行技術文献は見つからなかったが、本発明に関連のある先行技術文献として特許文献１を挙げることができる。特許文献１記載の発明は、コンピュータシステムのカーソル操作に用いる無線カーソル制御装置（いわゆるワイヤレスマウス）であって、本体に無線信号の受信機を収納する収納空間を備え、受信機をこの収納空間に固定することができるものである。
【先行技術文献】
【特許文献】
【００１１】
【特許文献１】特開２００７−１８８４７０号公報
【発明の概要】
【発明が解決しようとする課題】
【００１２】
特許文献１に記載されている無線カーソル制御装置は、本体に受信機の収納空間を備える。このような無線カーソルの本体は比較的小型ではあるが、操作の用に供されるスイッチ類は本体の上面に配置することができ、本体の底面には操作スイッチ類を配置する必要性は低い。また、このような無線カーソル制御装置の受信機は小型であるから、収納空間の確保は比較的容易である。
したがって、特許文献１は、匡体表面にスイッチ類を配置する空間が少ない機器において、接続用の部材を収納する空間を確保すること、また、誤操作することなく確実に操作できる電源スイッチを配置することについては解決されていない。
【００１３】
本発明は、上記課題を鑑みてなされたものであって、携帯型スピーカーにおいて、匡体表面にスイッチ類を配置する空間がなくても、接続コードの収納と電源のオン−オフ操作を的確に行うことができる電源スイッチを備えることができるスピーカーを提供することを目的とする。
【課題を解決するための手段】
【００１４】
本発明は、携帯型スピーカーに関するものであって、匡体の上面に配置された放音部と、放音部からの出力音源となる外部機器を接続する接続プラグを有する接続コードと、放音部の動作電源を収納する電源収納部と、を備える携帯型スピーカーであって、匡体の底面に電源収納部、接続コードを収納することができる収納溝、を有し、収納溝の端部近傍に接続プラグを収納するプラグ収納部が形成され、プラグ収納部に接続プラグが収納されたとき、接続プラグが接触して電源をオフにする電源スイッチを備えることを主な特徴とする。
【００１５】
また本発明の別の形態は、上記の携帯型スピーカーにおいて、底面には、使用態様において台座として用いられる弾性部材からなる突起部を複数備えており、収納溝が、突起部よりも径方向内側に形成されていることを特徴とする。
【００１６】
また本発明の別の形態は、上記の携帯型スピーカーにおいて、プラグ収納部は、この収納部に収納される接続プラグを係止する係止部をさらに有することを特徴とする。
【００１７】
また本発明の別の形態は、上記の携帯型スピーカーにおいて、プラグ収納部は、放音部の背圧を軽減させるための音響孔を有しており、使用態様において、音響孔が外気と連通することを特徴とする。
【発明の効果】
【００１８】
本発明によれば、携帯型スピーカーにおいて、底面に接続コードを収納する収納溝を形成し、この収納溝の端部近傍に電源スイッチを備えた接続プラグの収納部を有するので、収納溝に接続コードが収納され、収納部に接続プラグを収納されると電源を切ることができる。また、スピーカーを使用する場合、接続プラグを収納部から取り出すことで電源が入るので、匡体の表面に電源スイッチを配置することなく、匡体表面に空間が少ない携帯型スピーカーであっても、携帯性と意匠性の両方を兼ね備え、かつ、不使用時は電源をオフに、使用時には電源をオンに確実に切り換えることができる携帯型スピーカーを得ることができる。
【図面の簡単な説明】
【００１９】
【図１】本発明に係る携帯型スピーカーの実施例を示す上面斜視図である。
【図２】本発明に係る携帯型スピーカーの実施例を示す底面斜視図である。
【図３】本発明に係る携帯型スピーカーの実施例を示す底面平面図である。
【図４】本発明に係る携帯型スピーカーの収納部の構造の実施例を示すもので、（ａ）は接続プラグが収納された状態を、（ｂ）は接続プラグが取り出された状態を、図３の底面平面図のＢ−Ｂ´線に沿って示す拡大断面図である。
【図５】本発明に係る携帯型スピーカーの収納部の構造の実施例を示すもので、（ａ）は接続プラグが収納された状態を、（ｂ）は接続プラグが取り出された状態を、図３の底面平面図のＡ−Ａ´線に沿って示す拡大断面図である。
【発明を実施するための形態】
【００２０】
本発明に係る携帯型スピーカーの実施の形態について図を用いて説明する。図１は、本発明に係る携帯型スピーカーの例を示す上面斜視図である。図１において携帯型スピーカー１０は、スピーカー匡体の上面には、放音部１が配置されている。この放音部１は、スピーカー匡体の上面の径とほぼ同じ径を有している。放音部１の内部には図示しないスピーカーユニットが備わっており、図１においては図示しない接続コードによって図示しない音源（例えば携帯型音楽プレーヤー）と接続することで、放音部１から再生音を出力することができるように構成されている。
放音部１と反対の面となる底面には、使用態様において防振材を兼ねた固定足となる複数の台座３が備わっている。この台座３は弾性部材からなる。
携帯型スピーカー１０は、テーブルなどの平面に台座３によって載置されて、使用態様となる。
【００２１】
図２は、本発明に係る携帯型スピーカーの例を示す底面斜視図である。図２において、携帯型スピーカー１０の底面２には、その外周端近傍において、使用態様時にバランスが取れるような位置に複数の台座３が分散して備えられている
また、底面２の中央付近には携帯型スピーカー１０の動作電源となる電池を収納する電源収納部２３が設けられている。
また、底面２において複数の台座３の形成位置よりも径方向の内周側であって、電源収納部２３よりも外側の空間に円弧上の収納溝２１ａが形成されている。この収納溝２１ａには、図示しない携帯型音楽プレーヤーとの接続に用いる接続コード２１１が埋設されて収納される。
【００２２】
また、収納溝２１ａの端部近傍にはプラグ収納部２１ｂが形成されており、携帯型音楽プレーヤーと接続するための接続プラグ２１２は、プラグ収納部２１ｂに収納可能となっている。
プラグ収納部２１ｂは、この収納部２１ｂの収納された接続プラグ２１２の先端部に対応する位置に、プラグ２１２を収納部２１ｂから取り外すときに指を挿入することができる窪みが形成されている。
【００２３】
使用態様において、携帯型スピーカー１０は机上などに載置され、接続プラグ２１２がプラグ収納部２１ｂから取り外され、それに伴って接続コード２１１が収納溝２１ａから外され、携帯型音楽プレーヤーと接続される。このとき、台座３は、設置面となる机などと携帯型プレーヤーの底面に所定の隙間を形成し、かつ、防振効果を発揮して音響特性を向上させる働きを発揮する。
【００２４】
次に図３乃至５を用いて、プラグ収納部２１ｂの内部構造の説明をする。図３は、本実施の形態に係る携帯型スピーカー１０を底面方向から見た平面図である。図４は、図３に示すＢ−Ｂ´線における拡大断面図である。図５は、図３に示すＡ−Ａ´線における拡大断面図である。
【００２５】
図４（ａ）に示すように、携帯型スピーカー１０は、プラグ収納部２１ｂに接続プラグ２１２が収納されると、電源スイッチ２２のアクチュエータ２２１が接続プラグ２１２によって押し込まれる。
これによって、動作電源が遮断されて電源がオフになるように内部回路が構成されている。
【００２６】
接続プラグ２１２がプラグ収納部２１ｂから取り外されると、図４（ｂ）に示すように、電源スイッチ２２のアクチュエータ２２１は、所定の位置まで飛びだす。これによって、図示しない内部回路において動作電源が導通し、電源がオンになる。
【００２７】
このように、本実施の形態に係る携帯型スピーカー１０は、使用態様にすることによって電源スイッチ２２が自動的にオンになり、不使用態様にすることによって、電源スイッチ２２を利用者が操作をすることなく自動的にオフになる。
また、携帯型スピーカー１０の動作電源に係るスイッチ類を、底面２を含めた匡体の表面に配置することなく、容易に操作することができるので、操作スイッチ類を表面に配置する空間が少ない小型の携帯型スピーカー１０であっても、的確な操作をすることができる。
【００２８】
次に図５を用いて、プラグ収納部２１ｂの構造についてさらに説明をする。図５（ａ）は、プラグ収納部２１ｂに接続プラグ２１２が収納されている状態を示している。図５（ｂ）は、プラグ収納部２１ｂから接続プラグ２１２が取り外されている状態、すなわち、使用態様における収納２１ｂの状態を示している。
【００２９】
図５（ａ）に示すように、電源スイッチのアクチュエータ２２１は、プラグ収納部２１ｂに接続プラグ２１２が収納されることで、押し込まれており、これによって、電源回路が遮断されて、電源がオフになる。
また、プラグ収納部２１ｂの内側には係止部２１ｃが形成されていて、この係止部２１ｃが、接続プラグ２１２の側面に押し当てられることで、接続プラグ２１２が所定の位置で保持されるように構成されている。
【００３０】
図５（ｂ）に示すように、接続プラグ２１２をプラグ収納部２１ｂから取り外すと、電源スイッチ２２のアクチュエータ２２１が所定の位置まで飛び出して、回路基板２４上に構成された内部回路において、電源が導通し、動作電源がオンになる。
【００３１】
また、接続プラグ２１２をプラグ収納部２１ｂから取り外すと、係止部２１ｃの下端部は若干ではあるが内側に向けて傾斜する。これは、係止部２１ｃを構成する弾性部材の弾力によるものである。これによって、接続プラグ２１２を固定するプラグ収納部２１ｂは、底面２の面位置からプラグ収納部２１ｂの深さ方向（図においては上方向）に向けて逆テーパ形状の断面をなすようになっている。
【００３２】
また、図５（ｂ）に示すように、回路基板２４には音響孔２４１が形成されている。この音響孔２４１は、接続プラグ２１２がプラグ収納部２１ｂから外される使用態様において、図示しないスピーカーユニットの背部気室と外気を連通するものであって、スピーカーユニットの背圧を軽減させる効果を発揮する。これによって、本実施の形態に係る携帯型スピーカー１０は、音響特性に優れたスピーカーとして動作することができるようになる。
【００３３】
このように本発明に係る携帯型スピーカーによれば、匡体表面に空間が少ない携帯型スピーカーであっても、底面のわずかな空間を効率的に用いて接続コードと接続プラグの収納を行い、かつ、接続プラグの収納に連動して自動的に電源スイッチをオフにするように電源スイッチを配置しているので、使用態様と不使用態様において容易かつ的確に電源操作を行うことができ、携帯性と意匠性の両方を兼ね備えた携帯型スピーカーを得ることができる。
【産業上の利用可能性】
【００３４】
本発明によれば、さらに同じ携帯型スピーカーを連結する機構を備えることで、２台の携帯型スピーカーを連動させることで、ステレオ再生が可能な携帯型スピーカーを得ることができる。
【符号の説明】
【００３５】
１      放音部
２      底面
３      台座
１０    携帯型スピーカー
２１ａ  収納溝
２１ｂ  プラグ収納部
２１ｃ  係止部
２１１  接続コード
２１２  接続プラグ
２２    電源スイッチ
２３    電源収納部
２４    回路基板
２４１  音響孔
【図１】
2011228909.tif 000003
【図２】
2011228909.tif 000004
【図３】
2011228909.tif 000005
【図４】
2011228909.tif 000006
【図５】
2011228909.tif 000007